(57)【特許請求の範囲】
【請求項１】
移動端末機（ＭＳ）が新しい基地局制御機／パケット制御機（ＢＳＣ／ＰＣＦ）領域でドーマントハンドオフするかどうかを移動通信交換機（ＭＳＣ）が判断する段階と、
前記判断の結果、移動端末機が新しい基地局制御機／パケット制御機（ＢＳＣ／ＰＣＦ）領域でドーマントハンドオフする場合、前記移動通信交換機（ＭＳＣ）が前記移動端末機（ＭＳ）のドーマントハンドオフ情報を以前の基地局制御機／パケット制御機（ＢＳＣ／ＰＣＦ）に提供する段階と
を含み、これにより、以前のパケット制御機（ＰＣＦ）と以前のパケットデータサービングノード（ＰＤＳＮ）との間のＲ−Ｐリンクが解除される、移動通信システムのパケットドーマントハンドオフ方法。
【請求項２】
前記ドーマントハンドオフ情報は、位置更新メッセージを少なくとも含む、請求項１に記載の移動通信システムのパケットドーマントハンドオフ方法。
【請求項３】
前記ドーマントハンドオフ情報の提供は、新しいパケット制御機（ＰＣＦ）及び／またはパケットデータサービングノード（ＰＤＳＮ）とのＲ−Ｐリンク設定が完了した後送信される、請求項１に記載の移動通信システムのパケットドーマントハンドオフ方法。
【請求項４】
前記位置更新メッセージ要素の原因値はパケットドーマントハンドオフである、請求項２に記載の移動通信システムのパケットドーマントハンドオフ方法。
【請求項５】
前記以前の基地局制御機／パケット制御機は、登録要請メッセージを以前のパケットデータサービングノード（ＰＤＳＮ）に送ってＲ−Ｐリンクを解除する段階をさらに含む、請求項１に記載の移動通信システムのパケットドーマントハンドオフ方法。
【請求項６】
前記登録要請メッセージを受信した前記以前のパケットデータサービングノードが前記移動端末機（ＭＳ）の訪問者テーブルをとり除いて、課金関連情報を相応するサーバー（ＡＡＡ  Ｓｅｒｖｅｒ）に送る段階をさらに含む、請求項５に記載の移動通信システムのパケットドーマントハンドオフ方法。
【請求項７】
前記登録要請メッセージを受信した前記以前のパケットデータサービングノードが、登録に対する応答を前記以前の基地局制御機／パケット制御機に送ってＲ−Ｐリンクの解除を完了する一方、前記以前のパケット制御機は移動端末機のＲ−Ｐリンクテーブルをとり除く段階をさらに含む、請求項６に記載の移動通信システムのパケットドーマントハンドオフ方法。
【請求項８】
前記登録に対する応答を受信した前記以前の基地局制御機／パケット制御機が、位置更新受付を前記移動通信交換機に送って、前記以前の基地局制御機／パケット制御機の移動端末機に対するパケットドーマントハンドオフ処理を完了する段階をさらに含む、請求項７に記載の移動通信システムのパケットドーマントハンドオフ方法。
【請求項９】
移動端末機（ＭＳ）が新しい基地局制御機／パケット制御機（ＢＳＣ／ＰＣＦ）領域でドーマントハンドオフするかどうかを移動通信交換機が判断する段階と、
前記判断の結果、移動端末機が新しい基地局制御機／パケット制御機（ＢＳＣ／ＰＣＦ）領域でドーマントハンドオフする場合、移動通信交換機（ＭＳＣ）が前記移動端末機のドーマントハンドオフ情報を以前の基地局制御機／パケット制御機（ＢＳＣ／ＰＣＦ）に提供する段階と、
前記以前の基地局制御機／パケット制御機は登録要請メッセージを以前のパケットデータサービングノードに送る段階と、
前記以前の基地局制御機／パケット制御機から登録要請メッセージを受信した前記以前のパケットデータサービングノードが、前記登録に対する応答を前記以前の基地局制御機／パケット制御機に送ってＲ−Ｐリンクの解除が完了する段階と、
前記以前の基地局制御機／パケット制御機が位置更新受付を移動通信交換機（ＭＳＣ）に送って、前記以前の基地局制御機／パケット制御機の移動端末機に対してパケットドーマントハンドオフ処理が完了する段階と
を含む、移動通信システムのパケットドーマントハンドオフ方法。
【請求項１０】
前記以前の基地局制御機／パケット制御機（ＢＳＣ／ＰＣＦ）は、Ａ９−Ｕｐｄａｔｅ−Ａ８メッセージを利用してドーマント移動端末機（ＭＳ）が移動したことを以前のパケット制御機（ＰＣＦ）に知らせて、これを受信した前記以前のパケット制御機はＡ１１登録要請メッセージを以前のパケットデータサービングノード（ＰＤＳＮ）に送って、前記以前のパケットデータサービングノードはＡ１１登録受諾に応答してＲ−Ｐリンクを解除させる、請求項９に記載の移動通信システムのパケットドーマントハンドオフ方法。
【請求項１１】
新しい移動通信交換機（ＭＳＣ）でドーマントハンドオフした移動端末機（ＭＳ）の登録更新情報を以前の移動通信交換機（ＭＳＣ）が受信する段階と、
前記登録更新情報を受信する場合、前記移動端末機がパケットドーマント状態なのかを判断する段階と、
前記移動端末機がパケットドーマント状態である場合、前記以前の移動通信交換機は以前の基地局制御機／パケット制御機（ＢＳＣ／ＰＣＦ）で位置更新情報を送ってＲ−Ｐリンクを早期に解除する段階と
を含み、これにより、以前のパケット制御機（ＰＣＦ）と以前のパケットデータサービングノード（ＰＤＳＮ）との間のＲ−Ｐリンクが解除される、移動通信システムのパケットドーマントハンドオフ方法。
【請求項１２】
前記以前の移動通信交換機は、新しい移動通信交換機（ＭＳＣ）でドーマントハンドオフした移動端末機（ＭＳ）の登録更新情報をＡＮＳＩ−４１メッセージに受信する、請求項１１に記載の移動通信システムのパケットドーマントハンドオフ方法。
【請求項１３】
前記以前の移動通信交換機が以前の基地局制御機／パケット制御機（ＢＳＣ／ＰＣＦ）で位置更新情報を送って、Ｒ−Ｐリンクを早期に解除するために移動通信交換機／訪問者位置レジスター（ＭＳＣ／ＶＬＲ）にサービングパケット制御機（Ｓｅｒｖｉｎｇ  ＰＣＦ）の情報を格納する、請求項１１に記載の移動通信システムのパケットドーマントハンドオフ方法。
【発明の詳細な説明】
【０００１】
【発明の属する技術分野】
本発明は移動通信システムのパケットドーマントハンドオフ（Ｐａｃｋｅｔ  Ｄｏｒｍａｎｔ  Ｈａｎｄｏｆｆ）方法に関し、特にＣＤＭＡ２０００パケット端末機が新しい基地局制御機／パケット制御機（ＢＳＣ／ＰＣＦ：  Ｂａｓｅ  Ｓｔａｔｉｏｎ  Ｃｏｎｔｒｏｌｌｅｒ／Ｐａｃｋｅｔ  Ｃｏｎｔｒｏｌ  Ｆｕｎｃｔｉｏｎ）でドーマントハンドオフした時、移動通信交換機（ＭＳＣ）が以前の基地局制御機／パケット制御機（ＢＳＣ／ＰＣＦ）に移動端末機（ＭＳ  ：Ｍｏｂｉｌｅ  Ｓｔａｔｉｏｎ）のドーマントハンドオフ事実を知らせてくれることで、以前のパケット制御機（ＰＣＦ）に該当の端末機の登録情報を削除する一方、以前のパケットデータサービングノード（ＰＤＳＮ  ：  ＰａｃｋｅｔＤａｔａ  Ｓｅｒｖｉｎｇ  Ｎｏｄｅ）とのＲ−Ｐリンク（ｌｉｎｋ）を解除して、限定された無線資源をより效率的に使うようにする移動通信システムのパケットドーマントハンドオフ方法に関する。
【０００２】
【従来の技術】
図１は従来及び本発明のパケットデータサービスのための移動通信網要素及びその構成を表わした図面である。図１によれば、パケットデータサービスのための移動通信網要素及びその構成要素として、使用者のための移動端末機（ＭＳ）（１０１）と基地局装置（１０２）（ＢＴＳ  ：  Ｂａｓｅ  Ｔｒａｎｓｃｅｉｖｅｒ  Ｓｔａｔｉｏｎ）が無線で繋がれて、前記基地局装置（１０２）は基地局制御機／パケット制御機（１０３）に繋がれて、前記基地局制御機／パケット制御機（１０３）などは移動通信交換機／訪問者位置レジスター（ＭＳＣ／ＶＬＲ）（１０４）に繋がれて、前記移動通信交換機／訪問者位置レジスター（ＭＳＣ／ＶＬＲ）（１０４）はホーム位置レジスター（ＨＬＲ  ：  Ｈｏｍｅ  Ｌｏｃａｔｉｏｎ  Ｒｅｇｉｓｔｅｒ）（１０５）に繋がれて他の通信網（１０６）（ＰＳＴＮ、ＰＣＳ、ＰＬＭＮなど）との通信が成り立って、前記基地局制御機／パケット制御機（ＢＳＣ／ＰＣＦ）（１０３）はパケットデータサービングノード（ＰＤＳＮ）（１０７）を通じてイントラネット（１０８）、ひいては無線網（インターネット網など）（１０９）と連結が成り立っていた。
【０００３】
前記図１の一緒に構成される移動通信網で、ＣＤＭＡ２０００パケットデータサービスを提供受ける端末機がパケットデータサービスを要請する場合、基地局制御機／パケット制御機（ＢＳＣ／ＰＣＦ）（１０３）によってパケットデータを送るパケットデータサービングノード（ＰＤＳＮ）（１０７）が決まる。そして、この時無線区間では移動端末機（１０１  ）と基地局制御機（ＢＳＣ）の間に無線トラフィックチャンネル（ｔｒａｆｆｉｃ  ｃｈａｎｎｅｌ）とラジオリンクプロトコル（ＲＬＣ  ：  Ｒａｄｉｏ  Ｌｉｎｋ  Ｐｒｏｔｏｃｏｌ）リンクが設定される。また、基地局制御機（ＢＳＣ）とパケット制御機（ＰＣＦ）の間には移動端末機（１０１）とパケットデータサービングノード（ＰＤＳＮ）（１０７）の間のＰＰＰ（Ｐｏｉｎｔ  ｔｏ  Ｐｏｉｎｔ  Ｐｒｏｔｏｃｏｌ）リンクデータを伝逹することができるＡ８トラフィックリンクが設定されて、パケット制御機（ＰＣＦ）とパケットデータサービングノード（ＰＤＳＮ）（１０７）の間には移動端末機（１０１）とパケットデータサービングノード（ＰＤＳＮ）（１０７）の間のＰＰＰリンクデータを伝逹することができるＡ１０Ｒ−Ｐ（Ｒａｄｉｏ  Ｐａｃｋｅｔ）リンクが設定される。
【０００４】
前記で、Ａ８インタフェースは基地局（ＢＳ  ：  Ｂａｓｅ  Ｓｔａｔｉｏｎ）とパケット制御機（ＰＣＦ）の間の使用者トラフィックを運ぶ。また、Ａ１０インタフェースはパケット制御機（ＰＣＦ）とパケットデータサービングノード（ＰＤＳＮ）の間の使用者トラフィックを運ぶ。この時、移動端末機（１０１）のパケットデータサービス連結はパケットデータサービスアクティブ（Ａｃｔｉｖｅ）状態とインアクティブ（Ｉｎａｃｔｉｖｅ）状態がある。  ここで、パケットデータサービスインアクティブ状態は移動端末機（１０１）がパケットデータサービスを受けることができない状態で、端末機の使用者によるパケットデータコール開始（Ｃａｌｌ  Ｏｒｉｇｉｎａｔｉｏｎ）などのパケットデータサービスアクティベイション（Ｐａｃｋｅｔ  Ｄａｔａ  Ｓｅｒｖｉｃｅ  Ａｃｔｉｖａｔｉｏｎ）や他の方法によって、アクティベイションが成り立つ場合、パケットデータサービスインアクティブ状態でパケットデータサービスアクティブ状態に変わる。
【０００５】
そして、パケットデータサービスアクティブ状態では移動端末機（１０１）とパケットデータサービングノード（ＰＤＳＮ）（１０７）の間に前記で説明したようにＰＰＰリンクが設定されて維持されて、パケット制御機（ＰＣＦ）とパケットデータサービングノード（ＰＤＳＮ）（１０７）の間のＲ−Ｐリンクが設定されて維持されて、このようにパケットデータサービスアクティブ状態である時、無線リンクの状態によってパケットアクティブ状態とパケットドーマント状態の二つの状態を持つことができる。ここで、パケットアクティブ状態は移動端末機（１０１）が無線トラフィックチャンネルを占有して、ラジオリンクプロトコル（ＲＬＰ）リンクを通じてＡ８リンクを維持して、パケットデータを送受信する状態である。
【０００６】
しかし、パケットドーマント状態は無線チャンネルとＡ８リンクを解除して基地局制御機（ＢＳＣ）が移動端末機（１０１）の制御と無線トラフィックチャンネルを解除した状態である。
【０００７】
図２は前記図１に表わした移動通信網で成り立つ従来のドーマントハンドオフ制御の手順（段階Ａ〜段階ｎ）を表わした図面である。段階ａは新しいパケット領域（ｚｏｎｅ）ＩＤが感知される時、移動端末機（ＭＳ）でターゲット（目標）基地局（ｔａｒｇｅｔ  ＢＳ）でパケットデータサービスを送るように、ＤＲＳ（Ｄａｔａ  Ｒｅａｄｙ  ｔｏ  Ｓｅｎｄ）ｓｅｔを「０」にする状態で開始メッセージ（Ｏｒｉｇｉｎａｔｉｏｎ  Ｍｅｓｓａｇｅ）を送る段階である。
【０００８】
段階ｂはターゲット基地局が前記開始メッセージを受信したという認識応答（ＢＳ  Ａｃｋ  Ｏｒｄｅｒ）を移動端末機（ＭＳ）に送る段階である。
【０００９】
段階ｃはターゲット基地局で移動交換局（ＭＳＣ）（以下、移動通信交換機と呼ぶ）でＣＭ（Ｃｏｎｎｅｃｔｉｏｎ  Ｍａｎａｇｅｍｅｎｔ）サービス要請メッセージを作成して送る段階で、この時タイマーＴ３０３を動作開始する。
【００１０】
段階ｄは前記サービス要請に対して移動通信交換機（ＭＳＣ）がターゲット基地局に無線資源の割り当てを要請する段階で、この時タイマーＴ１０を動作開始する。この時、前記の割り当て要請を受けるやいなやタケッ基地局は前記タイマーＴ３０３の動作を止める。
【００１１】
段階ｅはパケットデータサービスのためにターゲット基地局／パケット制御機（ＢＳ／ＰＣＦ）でターゲットパケットデータサービングノード（ＰＤＳＮ）でＡ１１登録を要請して、前記登録要請メッセージには移動イベント識別子（Ｍｏｂｉｌｉｔｙ  Ｅｖｅｎｔ  Ｉｎｄｉｃａｔｏｒ）を含む（Ｍｏｂｉｌｉｔｙ  Ｅｖｅｎｔ  Ｉｎｄｉｃａｔｏｒ  ｗｉｔｈｉｎ  ｔｈｅ  ｖｅｎｄｏｒ／Ｏｒｇａｎｉｚａｔｉｏｎ  ｓｐｅｃｉｆｉｃ  ｅｘｔｅｎｔｉｏｎ）。この時、前記ターゲットパケット制御機（ＰＣＦ）はタイマーＴｒｅｇｒｅｐを始める。
【００１２】
段階ｆはターゲットパケットデータサービングノード（ＰＤＳＮ）でターゲット基地局／パケット制御機にＡ１１登録応答（Ｒｅｇｉｓｔｒａｔｉｏｎ  Ｒｅｐｌｙ）を遂行する段階である。この時、前記ターゲットパケット制御機（ＰＣＦ）はタイマーＴｒｅｇｒｅｑを止める。前記で、Ａ１  １  インタフェースはパケット制御機（ＰＣＦ）とパケットデータサービングノード（ＰＤＳＮ）の間のシグナリング（Ｓｉｇｎａｌｉｎｇ）情報を運ぶ。
【００１３】
段階ｇは前記各段階の遂行結果によってターゲットパケットデータサービングノード（ＰＤＳＮ）と移動端末機（ＭＳ）の間でトラフィックチャンネル及びＰＰＰリンクの設定が成り立って、ＭＩＰ（Ｍｏｂｉｌｅ  ＩＰ）が登録される段階で、段階ｈは基地局制御機（ＢＳＣ）が割り当て完了メッセージ（Ａｓｓｉｇｎｍｅｎｔ  Ｃｏｍｐｌｅｔｅ  Ｍｅｓｓａｇｅ）を移動通信交換機（ＭＳＣ）で送る段階である。この時、前記移動交換局はタイマーＴ１０を停止する。
【００１４】
ある時点でソース（以前の）ＰＤＳＮでＡ１０リンクのためのＡ１１登録寿命タイマーが満了する時、段階ｉはソースパケットデータサービングノード（ＰＤＳＮ）からＡ１１  登録更新メッセージを再登録通知として以前のパケット制御機（ＰＣＦ）で送る段階で、この時前記以前のパケットデータサービングノード（ＰＤＳＮ）はタイマーＴｒｅｇｕｐｄを始める。
【００１５】
前記段階ｉに応答して以前のパケット制御機（ＰＣＦ）では段階ｊでＡ１１  登録認識メッセージを送って、前記以前のパケットデータサービングノード（ＰＤＳＮ）はタイマーＴｒｅｇｕｐｄを停止する。
【００１６】
移動端末機がソースから目標にハンドオフするので、次段階ｋは以前のパケット制御機（ＰＣＦ）でＡ１１登録要請を更新なしにＡ１０リンク解約の通知として寿命０で以前のパケットデータサービングノード（ＰＤＳＮ）に送って関連情報を記録する段階である。
【００１７】
段階ｌはこれに対して以前のパケットデータサービングノード（ＰＤＳＮ）で以前のパケット制御機（ＰＣＦ）でＡ１１  登録応答メッセージを送る段階として、前記以前のパケットデータサービングノード（ＰＤＳＮ）はＡ１１  登録応答メッセージを送る前に、追加的な過程のために関連情報を貯蔵して、前記以前のパケット制御機（ＰＣＦ）は移動端末機（ＭＳ）に対してＡ１０連結を終了して、タイマーＴｒｅｇｒｅｐを停止する。
【００１８】
周期的に、Ａ１１／Ａ１０リンク登録のためのＢＳ／ＰＣＦの登録寿命が満了する時、前記ＢＳ／ＰＣＦは登録要請メッセージによって登録を更新することができる。
【００１９】
よって、次段階ｍはターゲットパケット制御機（ＰＣＦ）でターゲットパケットデータサービングノード（ＰＤＳＮ）でＡ１１  登録要請メッセージを送って関連情報を記録する段階で、段階ｎはこれに対してターゲットパケットデータサービングノード（ＰＤＳＮ）がターゲットパケット制御機（ＰＣＦ）でＡ１１  登録応答メッセージを送る段階である。前記でＴｒｅｇｒｅｐはタイマー（Ｔｉｍｅｒ）登録要請（Ｒｅｇｉｓｔｒａｔｉｏｎ  Ｒｅｑｕｅｓｔ）を意味する。前記段階ｉから段階ｌは、寿命が前段階と不適切に満了する場合に発生するようになる他の段階と一致しない。
【００２０】
よって、前記ｍ及び前記ｎは前記段階ｉ乃至段階ｌと関係がない。
【００２１】
【発明が解決しようとする課題】
前記図１及び図２で説明したところのように、従来には移動端末機（ＭＳ）がパケットドーマント状態で以前の（ｓｏｕｒｃｅ  ｏｒ  ｏｌｄ）の基地局制御機／パケット制御機（ＢＳＣ／ＰＣＦ）領域で新しい（ｔａｒｇｅｔ  ｏｒ  ｎｅｗ）基地局制御機／パケット制御機（ＢＳＣ／ＰＣＦ）領域に移動した時、移動通信交換機（ＭＳＣ）でこのドーマントハンドオフに対する情報を以前の基地局制御機／パケット制御機（ＢＳＣ／ＰＣＦ）に伝逹していない。
【００２２】
これは図２を参照して説明する。移動端末機（ＭＳ）が第１の基地局制御機／パケット制御機（ＢＳＣ／ＰＣＦ）のＡ領域で、第２の基地局制御機／パケット制御機（ＢＳＣ／ＰＣＦ）のＣ領域に移動した時を例として説明する。移動端末機（ＭＳ）がパケットドーマント状態で、以前の第１の基地局制御機／パケット制御機（ＢＳＣ／ＰＣＦ）領域で新しい第２の基地局制御機／パケット制御機（ＢＳＣ／ＰＣＦ）領域に移動した時、接続されるパケットデータサービングノード（ＰＤＳＮ）は移動端末機（ＭＳ）がＰＰＰリンクを設定したパケットデータサービングノード（ＰＤＳＮ１）のＢではなくて、新しいパケットデータサービングノード（ＰＤＳＮ２）のＤの場合である。この場合に移動通信交換機（ＭＳＣ）は新しいターゲット基地局制御機／パケット制御機（ＢＳＣ２／ＰＣＦ２）にドーマントハンドオフ事実を提供して、新しいターゲット基地局制御機／パケット制御機（ＢＳＣ２／ＰＣＦ２）と新しいターゲットパケットデータサービングノード（ＰＤＳＮ２）の間にＲ−Ｐリンクが設定されて、また、ＭＩＰ移動端末機（ＭＳ）に対して新しい訪問者だから、パケットデータサービングノード（ＰＤＳＮ２）ではＰＰＰリンクを再設定して、ＦＡ内容（ＦＡ  Ａｄｖｅｒｔｉｓｅｍｅｎｔ）を送ってＭＩＰ登録が成り立つ。
【００２３】
ところが、以前の基地局制御機／パケット制御機（ＢＳＣ１／ＰＣＦ１  ）とパケットデータサービングノード（ＰＤＳＮ１  ）には移動通信交換器（ＭＳＣ）でドーマントハンドオフに対する情報を伝逹していない。よって、図２の段階ｉで以前のパケットデータサービングノード（ＰＤＳＮ）がＡ１０ＭＩＰタイムアウトや上位のＰＰＰリンクタイムアウトまたは移動端末機（ＭＳ）のＭＩＰ登録タイムアウトが発生する時、以前のパケットデータサービングノード（ＰＤＳＮ１）でＲ−Ｐリンクを解除することができる。
【００２４】
そうするので、タイムアウトが発生する時までは以前のパケット制御機（ＰＣＦ）のＲ−Ｐリンク資源と以前のパケットデータサービングノード（ＰＤＳＮ）のＩＰ資源を浪費する結果が招来される。
【００２５】
本発明は前記の問題点を解決するために案出したこととして、移動端末機（ＭＳ）がパケットドーマントである状態で新しいターゲット基地局制御機／パケット制御機（ＢＳＣ／ＰＣＦ）でドーマントハンドオフが成り立った時、この事実を移動通信交換機（ＭＳＣ）が以前のターゲット基地局制御機／パケット制御機（ＢＳＣ／ＰＣＦ）に知らせて、早期に以前のパケット制御機（ＰＣＦ）のＲ−Ｐリンクを解除して、以前のパケットデータサービングノード（ＰＤＳＮ）のＩＰ資源の消耗を防止することができる移動通信システムのパケットドーマントハンドオフ方法を提案することを目的にする。
【００２６】
【課題を解決するための手段】
本発明の方法は、移動端末機（ＭＳ）が新しい基地局制御機／パケット制御機（ＢＳＣ／ＰＣＦ）領域でドーマントハンドオフするかどうかを移動通信交換機（ＭＳＣ）または移動性管理者及び号制御実体が判断する段階と、前記判断結果、移動端末機が新しい基地局制御機／パケット制御機（ＢＳＣ／ＰＣＦ）領域でドーマントハンドオフする場合、前記移動通信交換機（ＭＳＣ）または移動性管理者及び号制御実体が前記移動端末機（ＭＳ）のドーマントハンドオフ情報を以前の基地局制御機／パケット制御機（ＢＳＣ／ＰＣＦ）に提供する段階とを含むことを特徴とする。
【００２７】
本発明の方法は、前記ドーマントハンドオフ情報は最小限位置更新メッセージを含むことを特徴としてもよい。
【００２８】
本発明の方法は、前記ドーマントハンドオフ情報の提供は、新しいパケット制御機（ＰＣＦ）及び／またはパケットデータサービングノード（ＰＤＳＮ）とのＲ−Ｐリンク設定が完了した後送信されることを特徴としてもよい。
【００２９】
本発明の方法は、前記位置更新メッセージ要素の原因値はパケットドーマントハンドオフであることを特徴としてもよい。
【００３０】
本発明の方法は、前記以前の基地局制御機／パケット制御機は、登録要請メッセージを以前のパケットデータサービングノード（ＰＤＳＮ）に送ってＲ−Ｐリンクを解除する段階をさらに含むことを特徴としてもよい。
【００３１】
本発明の方法は、前記登録要請メッセージを受信した前記以前のパケットデータサービングノードが前記移動端末機（ＭＳ）の訪問者テーブルをとり除いて、課金関連情報を相応するサーバー（ＡＡＡ  Ｓｅｒｖｅｒ）に送る段階をさらに含むことを特徴としてもよい。
【００３２】
本発明の方法は、前記登録要請メッセージを受信した前記以前のパケットデータサービングノードが、登録に対する応答を前記以前の基地局制御機／パケット制御機に送ってＲ−Ｐリンクの解除を完了する一方、前記以前のパケット制御機は移動端末機のＲ−Ｐリンクテーブルをとり除く段階をさらに含むことを特徴としてもよい。
【００３３】
本発明の方法は、前記登録に対する応答を受信した前記以前の基地局制御機／パケット制御機が、位置更新受付を前記移動通信交換機に送って、前記以前の基地局制御機／パケット制御機の移動端末機に対するパケットドーマントハンドオフ処理を完了する段階をさらに含むことを特徴としてもよい。
【００３４】
本発明の方法は、移動端末機（ＭＳ）が新しい基地局制御機／パケット制御機（ＢＳＣ／ＰＣＦ）領域でドーマントハンドオフするかどうかを移動通信交換機または移動性管理者及び号制御実体が判断する段階と、前記判断結果、移動端末機が新しい基地局制御機／パケット制御機（ＢＳＣ／ＰＣＦ）領域でドーマントハンドオフする場合、移動通信交換機（ＭＳＣ）または移動性管理者及び号制御実体が前記移動端末機のドーマントハンドオフ情報を以前の基地局制御機／パケット制御機（ＢＳＣ／ＰＣＦ）に提供する段階と、前記以前の基地局制御機／パケット制御機は登録要請メッセージを以前のパケットデータサービングノードに送る段階と、前記以前の基地局制御機／パケット制御機から登録要請メッセージを受信した前記以前のパケットデータサービングノードが、前記登録に対する応答を前記以前の基地局制御機／パケット制御機に送ってＲ−Ｐリンクの解除が完了する段階と、前記以前の基地局制御機／パケット制御機が位置更新受付を移動通信交換機（ＭＳＣ）に送って、前記以前の基地局制御機／パケット制御機の移動端末機に対してパケットドーマントハンドオフ処理が完了する段階とを含むことを特徴としてもよい。
【００３５】
本発明の方法は、前記以前の基地局制御機／パケット制御機（ＢＳＣ／ＰＣＦ）は、Ａ９−Ｕｐｄａｔｅ−Ａ８メッセージを利用してドーマント移動端末機（ＭＳ）が移動したことを以前のパケット制御機（ＰＣＦ）に知らせて、これを受信した前記以前のパケット制御機はＡ１１登録要請メッセージを以前のパケットデータサービングノード（ＰＤＳＮ）に送って、前記以前のパケットデータサービングノードはＡ１１登録受諾に応答してＲ−Ｐリンクを解除させることを特徴としてもよい。
【００３６】
本発明の方法は、新しい移動通信交換機（ＭＳＣ）でドーマントハンドオフした移動端末機（ＭＳ）の登録更新情報を以前の移動通信交換機（ＭＳＣ）が受信する段階と、前記登録更新情報を受信する場合、前記移動端末機がパケットドーマント状態なのかを判断する段階と、前記移動端末機がパケットドーマント状態である場合、前記以前の移動通信交換機は以前の基地局制御機／パケット制御機（ＢＳＣ／ＰＣＦ）で位置更新情報を送ってＲ−Ｐリンクを早期に解除する段階とを含むことを特徴としてもよい。
【００３７】
本発明の方法は、前記以前の移動通信交換機は、新しい移動通信交換機（ＭＳＣ）でドーマントハンドオフした移動端末機（ＭＳ）の登録更新情報をＡＮＳＩ−４１メッセージに受信することを特徴としてもよい。
【００３８】
本発明の方法は、前記以前の移動通信交換機が以前の基地局制御機／パケット制御機（ＢＳＣ／ＰＣＦ）で位置更新情報を送って、Ｒ−Ｐリンクを早期に解除するために移動通信交換機／訪問者位置レジスター（ＭＳＣ／ＶＬＲ）にサービングパケット制御機（Ｓｅｒｖｉｎｇ  ＰＣＦ）の情報を貯蔵することを特徴としてもよい。
【００３９】
このような目的を果たすための、本発明の移動通信システムのパケットドーマントハンドオフ方法は、移動端末機（ＭＳ）が新しい基地局制御機／パケット制御機（ＢＳＣ／ＰＣＦ）領域でドーマントハンドオフするかどうかを移動通信交換機（ＭＳＣ）または移動性管理者及び号制御実体（Ｅｎｔｉｔｙ）が判断する段階と、前記判断結果、移動端末機が新しい基地局制御機／パケット制御機（ＢＳＣ／ＰＣＦ）領域でドーマントハンドオフする場合、移動通信交換機（ＭＳＣ）または移動性管理者及び号制御実体（Ｅｎｔｉｔｙ）が前記移動端末機（ＭＳ）のドーマントハンドオフした情報を以前の基地局制御機／パケット制御機（ＢＳＣ／ＰＣＦ）に提供する段階と、前記以前の基地局制御機／パケット制御機は登録要請メッセージを以前のパケットデータサービングノード（ＰＤＳＮ）に送ってＲ−Ｐリンクを解除する段階と、前記以前の基地局制御機／パケット制御機から前記登録要請メッセージを受信した前記以前のパケットデータサービングノード（ＰＤＳＮ）が登録に対する応答を前記以前の基地局制御機／パケット制御機に送ってＲ−Ｐリンクの解除を完了する一方、以前のパケット制御機（ＰＣＦ）は移動端末機（ＭＳ）のＲ−Ｐリンクテーブルをとり除く段階と、前記登録に対する応答を受信した前記以前の基地局／制御機が位置更新受付を前記移動通信交換機（ＭＳＣ）に送って、前記以前の基地局制御機／パケット制御機の移動端末機（ＭＳ）に対してパケットドーマントハンドオフ処理を完了する段階を含むことを特徴とする。
【００４０】
【発明の実施の形態】
このように構成された本発明の実施例による目的、特徴は添付した図面を参照して説明する時、明らかになる。
【００４１】
以下、添付された図面を参照して本発明によるパケットドーマントハンドオフのための制御手順を説明する。
【００４２】
図３は本発明のパケットドーマントハンドオフ方法を表わした図面である。図３で段階ａ乃至段階ｈは前記図２と等しいので重複される説明は略する。本発明によれば、図３の段階ｉで移動通信交換機（ＭＳＣ）が移動端末機（ＭＳ）の新しいターゲット基地局制御機／パケット制御機（ＢＳＣ／ＰＣＦ）へのドーマントハンドオフを検出する時、新しいパケット制御機／パケットデータサービングノード（ＰＣＦ／ＰＤＳＮ）とのＲ−Ｐリンクを設定して、前記Ｒ−Ｐリンクの設定が完了する時、以前の基地局制御機／パケット制御機（ＢＳＣ／ＰＣＦ）で位置更新メッセージを送る。ここで、位置更新メッセージは移動通信交換機（ＭＳＣ）から基地局（ＢＳ）方向に送信されて、この時前記位置更新メッセージ要素の原因値（Ｃａｕｓｅ  Ｖａｌｕｅ）が段階ｉでパケットドーマントハンドオフを表わす。ここで、前記ドーマントハンドオフの検出は移動管理者（Ｍ／Ｍ）及び号制御（Ｃａｌｌ  Ｃｏｎｔｒｏｌ）実体（Ｅｎｔｉｔｙ）でも遂行されることができる。
【００４３】
その次段階ｊで、以前の基地局制御機／パケット制御機（ＢＳＣ／ＰＣＦ）はＡ９−更新−Ａ８メッセージを利用してドーマント移動端末機（ＭＳ）が新しい基地局制御機／パケット制御機（ＢＳＣ／ＰＣＦ）領域に移動したことを以前のパケット制御機（ＰＣＦ）に伝逹する。
【００４４】
これを受信した以前のパケット制御機（ＰＣＦ）は、Ａ１１登録要請メッセージを以前のパケットデータサービングノード（ＰＤＳＮ）に送って、以前のパケットデータサービングノード（ＰＤＳＮ）はＲ−Ｐリンクを解除する。  この時、以前のパケットデータサービングノード（ＰＤＳＮ）は該当の移動端末機（ＭＳ）の訪問者テーブル（Ｖｉｓｉｔｏｒ  Ｔａｂｌｅ）をとり除いて、課金関連情報をサーバー（ＡＡＡ（ａｕｔｈｅｎｔｉｃａｔｉｏｎ  ａｕｔｈｏｒｉｚａｔｉｏｎ  ａｎｄ  ａｃｃｏｕｎｔｉｎｇ）  Ｓｅｒｖｅｒ）で送る。
【００４５】
次段階ｋで、以前のパケットデータサービングノード（ＰＤＳＮ）がＡ１１  登録応答メッセージとして応答することでＲ−Ｐリンクの解除は完了して、以前のパケット制御機（ＰＣＦ）は移動端末機（ＭＳ）のＲ−Ｐリンクテーブルをとり除く。
【００４６】
そして、段階ｌでは以前のパケット制御機（ＰＣＦ）が以前の基地局制御機（ＢＳＣ）でＡ９−更新−Ａ８認識応答を遂行して、前記以前の基地局制御機（ＢＳＣ）が移動通信交換機（ＭＳＣ）で位置更新受諾（Ｌｏｃａｔｉｏｎ  Ｕｐｄａｔｅ  Ａｃｃｅｐｔ）メッセージを送ることで、以前の基地局制御機／パケット制御機（ＢＳＣ／ＰＣＦ）の移動端末機（ＭＳ）に対してドーマントハンドオフ処理を完了する。
【００４７】
以上で本発明の望ましい実施例を説明したが、本発明は多様な変化と変更及び均等物を使うことができる。本発明は前記実施例をゾックゾルヒ変形して等しく応用することができることが明確である。すなわち、図１乃至図３でのギスルゾック構成は、移動端末機（ＭＳ）が以前の移動通信交換機（ＭＳＣ）領域で新しい移動通信交換機（ＭＳＣ）領域に移動する場合にも本発明のギスルゾック思想及び概念を具現することができる。
【００４８】
以前の移動通信交換機（ＭＳＣ）は、他の新しい移動通信交換機（ＭＳＣ）でドーマントハンドオフした移動端末機（ＭＳ）が登録更新情報をＡＮＳＩ−４１メッセージに受信して、パケットドーマントハンドオフ状態である場合、以前の基地局制御機／パケット制御機（ＢＳＣ／ＰＣＦ）で位置更新情報を送ることで、Ｒ−Ｐリンクを早期に解除するようにする。この時、移動通信交換機（ＭＳＣ）／訪問者位置レジスター（ＶＬＲ）にサービングパケット制御機（ＰＣＦ）の情報を貯蔵することで、前記のような移動通信交換機の間のドーマントハンドオフに対処することができる。
【００４９】
前記ＡＮＳＩはＡｍｅｒｉｃａｎ  Ｎａｔｉｏｎａｌ  Ｓｔａｎｄａｒｄｓ  Ｉｎｓｔｉｔｕｔｅの略語として、ＡＮＳＩ−４１は移動端末機のローミング（Ｒｏａｍｉｎｇ）サービス目的の規格を意味する。
【００５０】
一方、前記に上述した内容は下記の特許請求範囲の限界によって決まる本発明の範囲を限定するのではない。
【００５１】
【発明の効果】
よって、本発明によれば、ＣＤＭＡ２０００パケット端末機が新しい基地局制御機／パケット制御機（ＢＳＣ／ＰＣＦ）でドーマントハンドオフした時、移動通信交換機（ＭＳＣ）が以前の基地局制御機／パケット制御機（ＢＳＣ／ＰＣＦ）に移動端末機（ＭＳ）のドーマントハンドオフ事実を知らせて、以前のパケット制御機（ＰＣＦ）に該当の端末機の登録情報を削除する一方、以前のパケットデータサービングノード（ＰＤＳＮ）とのＲ−Ｐリンクを解除して、限定された無線資源をより效率的に使うことができる。
【図面の簡単な説明】
【図１】従来及び本発明でのパケットデータサービスのための移動通信網要素及び網構成を表わした図面である。
【図２】従来のパケットドーマントハンドオフ方法を表わした図面である。
【図３】本発明のパケットドーマントハンドオフ方法を表わした図面である。
【符号の説明】
１０１  移動端末機（ＭＳ）
１０２  基地局装置（ＢＴＳ）
１０３  基地局制御機／パケット制御機  ＢＳＣ／ＰＣＦ）
１０４  移動通信交換機／訪問者位置レジスター（ＭＳＣ／ＶＬＲ）
１０５  ホーム位置レジスター（ＨＬＲ）
１０６  他の通信網（ＰＳＴＮ／ＰＣＳ／ＰＬＭＮ）
１０７  パケットデータサービングノード（ＰＤＳＮ）
１０８  イントラネット
１０９  無線網
【図１】
0004025057.tif 000002
【図２】
0004025057.tif 000003
【図３】
0004025057.tif 000004